(57)【特許請求の範囲】
【請求項１】
ローラー体の表面を管状布体で被覆したオフセット印刷の湿し水の給水用ローラーにおいて、前記管状布体が超極細糸によって編織された超極細繊維によって形成されているとともに両端に形成した開口部に付設した締め紐を絞ることにより着脱可能に固定されることを特徴とする湿し水の給水用ローラー。
【請求項２】
管状布体をループ状に編織された超極細繊維で形成したことを特徴とす請求項１記載の湿し水の給水用ローラー。
【請求項３】
管状布体をメリヤス織りにより継ぎ目なく形成したことを特徴とす請求項１又は請求項２記載の湿し水の給水用ローラー。
【発明の詳細な説明】
【０００１】
【発明の属する技術分野】
本発明は、オフセット印刷の版面上に給水する湿し水装置の給水用ローラーに関する。
【０００２】
【従来の技術】
従来より、オフセット印刷の版面は、親水性の非画線部にインキを受付ないように湿し水を給水して親油性のインキに対して抵抗幕が形成されるようになっており、湿し水の給水には水棒と称される吸水性のローラーが使用されている。
【０００３】
図６は、オフセット印刷の周知の湿し水装置を示しており、湿し水２０を貯めたパン２１の中に浸漬された真鍮またはクロム、もしくは布に被覆された水ためローラー２２と、前記水ためローラー２２に間欠的はに接触する吸水性の布で被覆されたドクターローラー２３と、前記ドクターローラー２３から移水される金属性の移しローラー２４と、前記移しローラー２４から表面の全面に均一に広げられて移水された湿し水を、版面２５に連続的に接触して移水する二本のつけローラー２６とを有して構成され、水ためローラー２２から移水される湿し水２０は各ローラー２３、２４、２６を使って版面２５に均一に供給されるようになっている。
【０００４】
前記ドクターローラー２３とつけローラー２６は水棒と称される給水用ローラーであり、適度の量の湿し水が吸給水できるように、これらのローラーの表面は、業界でモルトンと称されている吸水性の布帯を使用してローラーの胴周面に平坦に捲回したり、布筒に形成したもので被覆してある。
【０００５】
前記水棒に使用される吸水性の布帯は、版面に良好な湿し水幕を形成する吸給水が可能なように、パイル状に編織した繊維の表面のループを切断したビロードとなっており、布の表面が密に滑らかで均一性が高く、吸水性と保水性を高めたものとなっている。
【０００６】
【発明が解決しようとする課題】
しかしながら、従来の水棒用の布帯は、ループを切断して形成したものであるので、毛羽や綿毛が多いうえに、糸抜け糸切れが生じ易く耐久性を低下させていた。また、これら糸屑物が版の表面やインキ装置に付着すると印刷される絵柄を損なう原因となる。従って、新しいローラーの使用前の糸屑物の除去作業などの手入れに時間がかかるうえに、ローラー表面の布の管理には多大な注意力を必要とした。また、従来の吸水性の布をローラーの胴周面に捲回する作業は、熟練が要求され、汚れたり磨耗した布の交換は未熟な作業者にとっては面倒なものであった。
【０００７】
本発明は、上記の問題に鑑みてなされたもので、給水用ローラーの布の耐久性を向上させるとともに、版面へのローラーの接触性を密にして適正な湿し状態が保持できるメンテナンスの容易なものとすることにある。
【０００８】
【課題を解決するための手段】
前記課題を解決するために本発明は、ローラー体の表面を管状布体で被覆したオフセット印刷の湿し水の給水用ローラーにおいて、前記管状布体が超極細糸によって編織された超極細繊維によって形成されているとともに両端に形成した開口部に付設した締め紐を絞ることにより着脱可能に固定されるようにした。
【０００９】
また、管状布体をループ状に編織された超極細繊維で形成したことにより、密にして糸の解れや糸抜けがおきにくく、ソフトで版面との接触性の良好な吸水性と保水性に優れた給水用ローラーとすることができる。
【００１０】
管状布体をメリヤス織りにより継ぎ目なく形成したことにより、ローラーの表面の均一性が向上し、版面との接触性が更に向上する。
【００１１】
【発明の実施の形態】
以下、本発明の好適な実施の形態を添付図面を参照しながら詳細に説明する。
【００１２】
図１乃至図５は、本発明の湿し水の給水用ローラーの実施の形態を示すものであり、オフセット印刷の版面に湿し水を給水するつけローラーやドクターローラーに使用されている周知のローラー体１と、このローラー体１を被覆する布製の管状布体２とで構成されている。
【００１３】
管状布体２は、主としてアクリル、ポリエステル、ポリアミド、またはこれらを混紡した０．１〜数ミクロンの超極細糸を、図４に示す、パイル編み状、即ちループ状に編織するメリヤス織りにより超極細繊維として継ぎ目の無い伸縮性の管状に形成したものである（図３参照）。
【００１４】
この超極細糸によって編まれた超極細繊維は、空隙率の高い三次元構造を呈しており、業界でモルトンと称される従来の吸水性のビロード布よりも湿し水の含浸率が高く、且つ超極細糸による毛細管現象に基づき、湿し水をよく保留する。
【００１５】
また、この管状布体２に使用されている超極細繊維は、ループが切断されていないので解れや糸抜けが生じにくく、従来の吸水性の布よりも耐久性に優れ、けばや綿毛の発生の少ないオフセット印刷の湿し作業に好適な給水布となっている。
【００１６】
管状布体２は、ローラー体１に被せられると、その伸縮性によりローラー体１の胴周面にぴったり密接し、布の捩れやだぶつきがなく被覆され、版面に良好に給水できるソフトで滑らかなローラー面を形成する。
【００１７】
また、管状布体１は超極細繊維の超極細糸の特性から版面に対する接触性が密であり、更に、継ぎ目がないので、ローラー表面の均一性に優れ、版面にむらのない最良の状態の湿し水によるインキに対する抵抗幕を形成することができるものである。
【００１８】
ローラー体１に被覆された管状布体１は、その両端の締め紐３によって開口部４を絞ることにより、着脱可能に固定されるようになっている。
【００１９】
従って、管状布体２が磨耗したり損傷した場合は、その取り替えが簡単であり、取り付けには従来の吸水性の布をローラーに捲回するような熟練を要しない。また、汚れた場合は洗濯して再利用することができるので経済的である。
【００２０】
尚、超極細繊維の編み方は、メリヤス織りに限るものではなく、図５に示すように、毛先を起毛してモケット状（毛先を垂直状に立ち上がらせたような状態）となるように編織し、この超極細繊維を筒状体に形成して管状布体としもよく、先の実施の形態とほぼ同様の機能を備えることができる。
【００２１】
【発明の効果】
本発明は、以上説明したような形態で実施され、以下に記載されるような効果を奏する。
【００２２】
ローラー体の表面を超極細糸によって編織された超極細繊維による管状布体で被覆したので、管状布体の伸縮性によりローラー体の胴周面にぴったり密接して従来の給水用ローラーに比較して吸水性と保水性の極めて高い滑らかなローラー面が形成される。
【００２３】
そして、管状布体をループ状に編織された超極細繊維で継ぎ目なく形成することにより、ローラー表面がソフトで均一性が向上し、超極細繊維の超極細糸の特性から版面に対する接触性が極めて密となり、版面にむらのない最良の状態の湿し水による抵抗幕を形成することができる。
【００２４】
また、ループ状に編織された超極細繊維は、毛羽や綿毛が少ないうえに、糸抜け糸切れが少ない。従って、新しい給水用ローラーの使用前の手入れ時間が短縮できるとともに、耐久性にも優れていて経済的である。
【００２５】
更に、管状布体はローラー体に簡単に着脱できるので、損傷したり汚れた場合の交換作業に熟練を要さず、メンテナンスの容易な給水用ローラーである。
【図面の簡単な説明】
【図１】本発明の湿し水の給水用ローラーを示す斜視図。
【図２】図１のＸーＸ矢視拡大断面図。
【図３】図１のローラーの管状布体の斜視図。
【図４】本発明に用いる超極細繊維の説明用拡大図。
【図５】本発明に用いる超極細繊維の他の実施の形態を示す説明用拡大図。
【図６】従来の湿し水装置を示す説明図。
【符号の説明】
１  ローラー体，２  管状布体，
【図１】
0003914297.tif 000002
【図２】
0003914297.tif 000003
【図３】
0003914297.tif 000004
【図４】
0003914297.tif 000005
【図５】
0003914297.tif 000006
【図６】
0003914297.tif 000007